(57)【特許請求の範囲】
【請求項１】
複写処理の動作モードの初期化を指定するモードクリアキーが押下されると，前記動作モードを予め指定されている標準モードに設定する複写装置のモードクリア方法において，
設定されている動作モードの内容を選択的に残して動作モードの初期化を行う選択的モードクリアを指定する第１の工程と，
前記第１の工程で選択的モードクリアが指定された場合に，前記設定されている動作モードから初期化せずに残す動作モードを選択する第２の工程と，
前記第２の工程で選択された前記初期化せずに残す動作モード以外の動作モードを前記標準モードに設定する第３の工程と，
を含むことを特徴とする複写装置のモードクリア方法。
【請求項２】
前記第３の工程は，前記第２の工程で選択された前記初期化せずに残す動作モードの中の少なくとも１つの動作モードが前記標準モードと相反するモードになるときは，警告を表示する工程を含むことを特徴とする請求項１記載の複写装置のモードクリア方法。
【請求項３】
複写処理の動作モードの初期化を指定するモードクリアキーが押下されると，前記動作モードを予め指定されている標準モードに設定する複写装置において，
設定されている動作モードの内容を選択的に残して動作モードの初期化を行う選択的モードクリアを指定するための指定手段と，
前記指定手段を介して選択的モードクリアが指定された場合に，前記設定されている動作モードから初期化せずに残す動作モードを選択する選択手段と，
前記選択手段で選択した前記動作モードを記憶する記憶手段と，
前記指定手段を介して選択的モードクリアが指定された状態で，前記モードクリアキーが押下されると，前記記憶手段に記憶されている動作モード以外の動作モードを前記標準モードに設定する設定手段と，
を備えたことを特徴とする複写装置。
【請求項４】
前記選択手段は，前記初期化せずに残す動作モードを選択するための表示画面を有し，さらに前記選択された動作モードの設定内容を表示することを特徴とする請求項３記載の複写装置。
【請求項５】
前記選択手段は，前記指定手段を介して選択的モードクリアが指定された場合に，前記記憶手段に記憶されている動作モードの設定内容を表示することを特徴とする請求項４記載の複写装置。
【請求項６】
前記設定手段は，前記選択手段で選択した前記動作モードの中の少なくとも１つの動作モードが前記標準モードと相反するモードであるときは，警告を表示することを特徴とする請求項４記載の複写装置。
【請求項７】
前記設定手段は，前記選択手段で選択した前記動作モードの中の少なくとも１つの動作モードが前記標準モードと相反するモードであるときは，前記選択手段で選択した前記動作モードを変更することを特徴とする請求項４記載の複写装置。
【請求項８】
前記選択手段を介して動作モードが選択されると、選択されている動作モードおよび前記選択されている動作モード以外の前記標準モード中の動作モードに基づいて，組合せ不可能な動作モード同士が存在する組合せ不可状態が発生したか否かを判定し，組合せ不可状態である場合に，組合せ不可状態である旨を報知すると共に，該当する組合せ不可能な動作モードの変更を行わせる報知・変更手段を備えたことを特徴とする請求項３〜７記載のいずれか一つの複写装置。
【請求項９】
前記報知・変更手段は，組合せ不可状態が複数発生している場合，それぞれの組合せ不可能な動作モードの組またはグループにおいて該当する組合せ不可能な動作モードの変更を行わせることを特徴とする請求項８記載の複写装置。
【請求項１０】
前記報知・変更手段は，組合せ不可状態が解除された場合，組合せ不可状態の解除を報知することを特徴とする請求項８または９記載の複写装置。
【請求項１１】
ファクシミリ装置における操作部の動作モードの初期化を指定するモードクリアキーが押下されると，前記動作モードを予め指定されている標準モードに設定するファクシミリ装置における操作部のモードクリア方法において，
設定されている動作モードの内容を選択的に残して動作モードの初期化を行う選択的モードクリアを指定する第１の工程と，
前記第１の工程で選択的モードクリアが指定された場合に，前記設定されている動作モードから初期化せずに残す動作モードを選択する第２の工程と，
前記第２の工程で選択された前記初期化せずに残す動作モード以外の動作モードを前記標準モードに設定する第３の工程と，
を含むことを特徴とするファクシミリ装置における操作部のモードクリア方法。
【請求項１２】
ファクシミリ装置における操作部の動作モードの初期化を指定するモードクリアキーが押下されると，前記動作モードを予め指定されている標準モードに設定するファクシミリ装置において，
設定されている動作モードの内容を選択的に残して動作モードの初期化を行う選択的モードクリアを指定するための指定手段と，
前記指定手段を介して選択的モードクリアが指定された場合に，前記設定されている動作モードから初期化せずに残す動作モードを選択する選択手段と，
前記選択手段で選択した前記動作モードを記憶する記憶手段と，
前記指定手段を介して選択的モードクリアが指定された状態で，前記モードクリアキーが押下されると，前記記憶手段に記憶されている動作モード以外の動作モードを前記標準モードに設定する設定手段と，
を備えたことを特徴とするファクシミリ装置。
【発明の詳細な説明】
【０００１】
【発明の属する技術分野】
本発明は，複写装置のモードクリア方法，複写装置，操作部のモードクリア方法およびファクシミリ装置に関し，より詳細には，複写装置又はファクシミリ装置のモードクリア時におけるモードクリアの内容をユーザが必要に応じて設定可能とした複写装置のモードクリア方法，複写装置，操作部のモードクリア方法およびファクシミリ装置に関する。
【０００２】
【従来の技術】
近年，複写装置は多機能化が進み，複写処理の様々な条件項目を設定することが可能になっている。例えば，記録紙のサイズの自動選択，記録濃度の濃さの選択，排出先の選択，複写倍率の選択，複写を片面にするかまたは両面にするかの選択，綴じ代値の選択等の項目を設定することができる。したがって，ユーザは，各項目の設定内容を設定することにより細かい点まで自分の希望に沿った複写処理を行うことができる。
【０００３】
また，最近の複写装置では，所定のモードクリアキーを押下すると，不揮発性ＲＡＭから予め登録されている標準モードを呼び出して，設定されているモードの初期化（以下，モードクリアと呼ぶ）を行える構成であり，ユーザは多機能化された複写装置を使用する場合，モードの設定ミスを回避するために，このモードクリアキーを押下して以前のモード設定を一度クリア（モードクリア）してから，所望のモードを設定するのが一般的である。
【０００４】
【発明が解決しようとする課題】
しかしながら，上記従来の複写装置によれば，モードクリアキーを押下した後，所望のモードを設定することにより，モードの設定ミスを回避することができるものの，同一のユーザが似たようなモードで，連続して複写処理を行う場合にも，モードクリアを行ってから，再度所望のモードの設定を行う必要があるため，各項目の内容を設定する作業が煩雑になるという問題点があった。
【０００５】
例えば，複数の原稿を類似するモード（換言すれば，多少異なるモード）で１枚ずつ複写したい場合に，確実に設定ミスを回避のためには，複写の度にモードクリアを行ってから，すべての項目の設定内容について再度設定すれば良いが，設定に手間がかかるため，逆にミスを誘発するという不具合があった。
【０００６】
本発明は上記に鑑みてなされたものであって，モードクリアを行う際に，所望のモードを残して不要なモードのみをクリアできるようにして，設定作業の効率化および設定ミスの低減を図ることを目的とする。
【０００７】
【課題を解決するための手段】
上記の目的を達成するために，請求項１に係る複写装置のモードクリア方法は，複写処理の動作モードの初期化を指定するモードクリアキーが押下されると，前記動作モードを予め指定されている標準モードに設定する複写装置のモードクリア方法において，設定されている動作モードの内容を選択的に残して動作モードの初期化を行う選択的モードクリアを指定する第１の工程と，前記第１の工程で選択的モードクリアが指定された場合に，前記設定されている動作モードから初期化せずに残す動作モードを選択する第２の工程と，前記第２の工程で選択された前記初期化せずに残す動作モード以外の動作モードを前記標準モードに設定する第３の工程と，を含むものである。
【０００８】
また，請求項２に係る複写装置のモードクリア方法は，請求項１記載の複写装置のモードクリア方法において，前記第３の工程が，前記第２の工程で選択された前記初期化せずに残す動作モードの中の少なくとも１つの動作モードが前記標準モードと相反するモードになるときは，警告を表示する工程を含むものである。
【００１０】
また，請求項３に係る複写装置は，複写処理の動作モードの初期化を指定するモードクリアキーが押下されると，前記動作モードを予め指定されている標準モードに設定する複写装置において，設定されている動作モードの内容を選択的に残して動作モードの初期化を行う選択的モードクリアを指定するための指定手段と，前記指定手段を介して選択的モードクリアが指定された場合に，前記設定されている動作モードから初期化せずに残す動作モードを選択する選択手段と，前記選択手段で選択した前記動作モードを記憶する記憶手段と，前記指定手段を介して選択的モードクリアが指定された状態で，前記モードクリアキーが押下されると，前記記憶手段に記憶されている動作モード以外の動作モードを前記標準モードに設定する設定手段と，を備えたものである。
【００１１】
また，請求項４に係る複写装置は，請求項３記載の複写装置において，前記選択手段が，前記初期化せずに残す動作モードを選択するための表示画面を有し，さらに前記選択された動作モードの設定内容を表示するものである。
【００１２】
また，請求項５に係る複写装置は，請求項４記載の複写装置において，前記選択手段が，前記指定手段を介して選択的モードクリアが指定された場合に，前記記憶手段に記憶されている動作モードの設定内容を表示するものである。
【００１３】
また，請求項６に係る複写装置は，請求項４記載の複写装置において，前記設定手段が，前記選択手段で選択した前記動作モードの中の少なくとも１つの動作モードが前記標準モードと相反するモードであるときは，警告を表示するものである。
【００１４】
また，請求項７に係る複写装置は，請求項４記載の複写装置において，前記設定手段が，前記選択手段で選択した前記動作モードの中の少なくとも１つの動作モードが前記標準モードと相反するモードであるときは，前記選択手段で選択した前記動作モードを変更するものである。
【００１７】
また，請求項８に係る複写装置は，請求項３〜７記載のいずれか一つの複写装置において，前記選択手段を介して動作モードが選択されると，選択されている動作モードおよび前記選択されている動作モード以外の前記標準モード中の動作モードに基づいて，組合せ不可能な動作モード同士が存在する組合せ不可状態が発生したか否かを判定し，組合せ不可状態である場合に，組合せ不可状態である旨を報知すると共に，該当する組合せ不可能な動作モードの変更を行わせる報知・変更手段を備えたものである。
【００１８】
また，請求項９に係る複写装置は，請求項８記載の複写装置において，前記報知・変更手段が，組合せ不可状態が複数発生している場合，それぞれの組合せ不可能な動作モードの組またはグループにおいて該当する組合せ不可能な動作モードの変更を行わせるものである。
【００１９】
また，請求項１０に係る複写装置は，請求項８または９記載の複写装置において，前記報知・変更手段が，組合せ不可状態が解除された場合，組合せ不可状態の解除を報知するものである。
【００２０】
また，請求項１１に係るファクシミリ装置における操作部のモードクリア方法は，ファクシミリ装置における操作部の動作モードの初期化を指定するモードクリアキーが押下されると，前記動作モードを予め指定されている標準モードに設定するファクシミリ装置における操作部のモードクリア方法において，設定されている動作モードの内容を選択的に残して動作モードの初期化を行う選択的モードクリアを指定する第１の工程と，前記第１の工程で選択的モードクリアが指定された場合に，前記設定されている動作モードから初期化せずに残す動作モードを選択する第２の工程と，前記第２の工程で選択された前記初期化せずに残す動作モード以外の動作モードを前記標準モードに設定する第３の工程と，を含むものである。
【００２１】
また，請求項１２に係るファクシミリ装置における操作部の動作モードの初期化を指定するモードクリアキーが押下されると，前記動作モードを予め指定されている標準モードに設定するファクシミリ装置において，設定されている動作モードの内容を選択的に残して動作モードの初期化を行う選択的モードクリアを指定するための指定手段と，前記指定手段を介して選択的モードクリアが指定された場合に，前記設定されている動作モードから初期化せずに残す動作モードを選択する選択手段と，前記選択手段で選択した前記動作モードを記憶する記憶手段と，前記指定手段を介して選択的モードクリアが指定された状態で，前記モードクリアキーが押下されると，前記記憶手段に記憶されている動作モード以外の動作モードを前記標準モードに設定する設定手段と，を備えるものである。
【００２２】
【発明の実施の形態】
以下，本発明の複写装置のモードクリア方法，複写装置，操作部のモードクリア方法およびファクシミリ装置について，〔本発明の複写装置の概略構成〕，〔実施の形態１〕，〔実施の形態２〕，〔実施の形態３〕，〔実施の形態４〕の順で，添付の図面を参照して詳細に説明する。
【００２３】
〔本発明の複写装置の概略構成〕
先ず，各実施の形態の説明に先立って，各実施の形態に共通する本発明の複写装置の概略構成について説明する。
図１は，各実施の形態に共通する複写装置の構成図である。この複写装置は，図に示すように，複写機本体Ａ，循環式に原稿の自動給送を行う循環式自動原稿送り装置（ＲＤＦ）Ｂ，非循環式にすなわち通常に原稿の自動給送を行う自動原稿送り装置Ｃ，最終的な処理を行うフィニッシャーＤで構成されている。
【００２４】
次に，複写機本体Ａの機能について説明する。コンタクトガラス１０１に載置された原稿は，循環式自動原稿送り装置Ｂによって押圧される。光源１０２から発せられた光は，反射板１０３で反射されてコンタクトガラス１０１上の原稿の全面に照射される。そして，その反射光が，ミラー１０４，レンズ１０５，ミラー１０６を介して，感光体ベルト１０７に照射される。この感光体ベルト１０７はメインモータ（図示せず）により回転駆動されており，帯電用コロナ放電器１０８により一様に帯電される。したがって，感光体ベルト１０７に照射される光によって原稿の画像が露光されて，現像される前の電界による像すなわち静電潜像が形成される。そして，イレイサー１０９により複写する画像領域以外の電荷がイレースされ，現像装置１１０により現像される。この後，感光体ベルト１０７は転写用コロナ放電器１１１の位置に送られる。
【００２５】
一方，下段トレイ１１２，中段トレイ１１３，上段トレイ１１４，あるいは後述する両面トレイ１２４のいずれか１つから給紙された用紙が搬送路１１５に送り出され，レジストローラ１１６によって転写用コロナ放電器１１１に搬送されて，感光体ベルト１０７に密着されてその静電潜像に対応したトナー像が転写される。この後，感光体ベルト１０７から分離された転写用紙は，搬送ベルト１１７によって搬送されて，定着部１１８でトナーが定着される。通常の片面複写モードかつ非反転排紙モードにおいては，トナーが定着された転写用紙はコピー受け１１９に排出される。
【００２６】
両面複写モードの場合または反転排紙モードおよびステイプルモードの場合には，切換爪１２１または切換爪１２２によって転写用紙の搬送方向が変更される。両面複写モードの場合には，搬送路１２３を経て両面トレイ１２４に排紙される。反転排紙モードおよびステイプルモードの場合には，切換爪１２２によってフィニッシャーＤに排紙される。
【００２７】
トナー転写後の感光体ベルト１０７は，除電ランプ１２５によって除電され，クリーニング装置１２６によってクリーニングされて，次の複写サイクルに備える。
【００２８】
次に，循環式自動原稿送り装置（ＲＤＦ）Ｂの機能について，図２を参照して説明する。複写する原稿束は，原稿載置台２０１に複写する面を下向きに載置される。そして，最下部の１枚の原稿がバキュームベルト２０２に引き付けられ，バキュームベルト２０２の移動により原稿給紙口に送られるが，給紙に先立って，原稿仕切爪２１７が一旦原稿左上側に引き込まれ，再度出現することにより，原稿束上にセットされる。その状態で給紙された原稿は，原稿給紙ローラ２０３により中間搬送路２０４に送られて，この位置で一旦停止させられる。
【００２９】
この後の再起動で，ターンローラ２０５および原稿搬送ベルト２０６により，原稿は，複写機本体Ａのコンタクトガラス１０１上にセットされる。連続給紙する場合には，同時に前記給紙動作を実行することで，次の原稿を中間搬送路２０４にセットする。
【００３０】
コンタクトガラス１０１上の原稿の排紙は，原稿搬送ベルト２０６による搬送によって行われるが，片面原稿で，かつ，原稿の循環を行わない場合には，排紙切換爪２０７が上側にセットされることによって下搬送路を経て，原稿排紙ローラ２０８によって図１に示す原稿排紙トレイ２６０に排紙される。また，片面原稿で，かつ，原稿の循環を行う場合には，排紙切換爪２０７が下側にセットされることによって，一旦上搬送路２０９へ送られ，その後，原稿の後端が反転センサ２１１によって検出されると，スイッチバックローラ２１０が逆転して原稿が逆送され，搬送ローラ２１２によってさらに逆送される。なお，このとき搬送ローラ２１２の後に設けられた搬送切換爪２１３が下側にセットされることにより，逆送された原稿が中間搬送路２１６に送られ，排紙ローラ２１５により原稿載置台２０１に排出される。
【００３１】
一方，両面原稿の場合には，表面の静電潜像の形成がなされた後，コンタクトガラス１０１上の原稿は原稿搬送ベルト２０６で搬送され，下側にセットされた排紙切換爪２０７により，上側の搬送路２０９に送られる。そして，スイッチバックローラ２１０によって搬送され，原稿の後端が反転センサ２１１によって検出されると，スイッチバックローラ２１０が逆転して原稿が逆送される。
【００３２】
逆送された原稿は，搬送ローラ２１２によってさらに逆送されるが，このとき搬送ローラ２１２の後に設けられた搬送切換爪２１３が上側にセットされることにより，逆送された原稿が中間搬送路２０４に送られ，ターンローラ２０５および原稿搬送ベルト２０６によりコンタクトガラス１０１上に裏面を下にセットされる。そして，裏面の静電潜像の形成がなされた後に排紙されるが，このとき裏表が逆にならないように，再び搬送路２０９に送られて，スイッチバックローラ２１０により搬送路２１４に搬送され，排紙ローラ２１５により原稿載置台２０１に排出される。
【００３３】
したがって，原稿束は，最初に原稿載置台２０１にセットされた状態で元の原稿載置台２０１または原稿排紙トレイ２６０に排紙される。なお，原稿束から原稿を１枚ずつ搬送するために，原稿載置台２０１の原稿給紙口に原稿仕切爪２１７および原稿仕切爪センサ２１８が設けられている。
【００３４】
次に，自動原稿送り装置（ＡＤＦ）Ｃの機能について，図３を参照して説明する。図３は自動原稿送り装置Ｃの構造図を示し，複写する原稿束は，原稿載置台２５１に複写する面を下側に載置される。そして，分離ブレード２５２により規制されて，最下面の１枚の原稿のみが，分離ローラ２５３，呼出ローラ２５４の搬送力によって給紙される。給紙された原稿は，プルアウトローラ２５５により上述した循環式自動原稿送り装置Ｂのターンローラ２０５に送られて搬送される。そして，原稿搬送ベルト２０６によって複写機本体Ａのコンタクトガラス１０１上にセットされる。この後は，図１の複写機本体Ａおよび図２の循環式自動原稿送り装置Ｂの機能により，原稿搬送および用紙への転写がなされる。
【００３５】
なお，図３の自動原稿送り装置Ｃにおいて，原稿をコンタクトガラス１０１に精度よく停止させるために，ＡＤＦレジストセンサ２５６が設けられている。また，原稿載置台２５１に載置された原稿を検出するために，原稿セットセンサ２５７が設けられており，原稿載置台２５１に載置された原稿束の最終原稿が搬送されたことを検出するために，原稿エンドセンサ２５８が設けられている。なお，２５９はＡＤＦサイドセンサで，原稿サイズの検出と原稿給紙時に斜めに搬送されないように規制する働きを持つ。
【００３６】
上述した循環式自動原稿送り装置Ｂおよび自動原稿送り装置Ｃは，ともに複写する原稿を給送する装置であるが，両者の違いは，原稿循環により複写処理をするか否かである。自動原稿送り装置Ｃは，原稿を給紙位置に戻すことができないため，１枚原稿から複数コピーを作成するのに適している。ただし，循環式自動原稿送り装置Ｂにおいても，原稿の循環させないように設定することにより，自動原稿送り装置Ｃと同様の複写動作をさせることは可能である。
【００３７】
次に，図１におけるフィニッシャーＤの機能について説明する。フィニッシャーＤは，反転ユニットＤ１とステイプルユニットＤ２で構成されている。反転ユニットＤ１において，用紙受入れ口３０１は，複写機本体Ａから排出された複写された用紙受入れる。反転切換爪３０２は，受け入れた用紙を反転して排出するかまたは非反転のまま排出するかによって動作位置が決定する。反転する場合は，一旦，反転路３０３に導き，裏表を反転させてステイプルユニットＤ２へ搬送する。一方，反転しない場合は反転路３０３を経由しないで，ステイプルユニットＤ２へ搬送する。
【００３８】
ステイプルユニットＤ２において，搬送切換爪３０４は，搬送された複写した用紙をステイプルするか否かによって搬送路を決める。ステイプルする場合にはステイプルトレイ３０５に搬送し，ステイプルしない場合にはフィニッシュトレイ３０６に排出する。ステイプルトレイ３０５にスタックされた用紙束は，ステイプラー３０７によって綴じられて，リフトアップベルト３０８によって搬送されてフィニッシュトレイ３０６に排出される。
【００３９】
図４は，循環式自動原稿送り装置Ｂおよび自動原稿送り装置Ｃの原稿移動制御を行うＤＦ制御部のブロック構成図である。ここで，ＣＰＵ４０１は，ＲＯＭ４０２，ＲＡＭ４０３，ＡＤコンバータを有するＡＤ入力ポート４０４，通信ポート４０５等が一体となったワンチップマイコンである。ＣＰＵ４０１のシステムバスには，入力ポート４０６および出力ポート４０７が外付けされ，ＡＤ入力ポート４０４には原稿サイズセンサ４０８が接続されている。ＲＯＭ４０２は，ＣＰＵ４０１の動作プログラムやイニシャライズにおける初期データを記憶している。ＲＡＭ４０３は，入力されるデータやＣＰＵ４０１が処理するデータを記憶する。ＡＤ入力ポート４０４には，原稿サイズのアナログデータが入力され，ディジタルデータに変換されてＣＰＵ４０１に入力される。通信ポート４０５は，後述する操作制御部との間で通信を行う。
【００４０】
入力ポート４０６には，原稿搬送センサ４０９，原稿仕切爪センサ４１０（図２の２１８），４つの搬送センサ４１１〜４１４，４つの原稿長さセンサ４１５〜４１８，リフトスイッチ４１９，２つのカバーセンサ４２０および４２１が接続されている。そして，原稿の現在位置を検出してＣＰＵ４０１に入力するとともに，装置のカバーの開閉等を検出してＣＰＵ４０１に入力する。
【００４１】
出力ポート４０７には，複数のモータを駆動するモータドライバ４２２，各搬送切換爪を切換る原稿搬送クラッチ４２３，図２の原稿仕切爪２１７を制御する仕切爪ソレノイド４２４が接続されている。そして，モータドライバ４２２には，原稿を搬送する原稿搬送モータ４２５，感光体ベルト１０７を駆動するベルト駆動モータ４２６，原稿を排出する原稿排出モータ４２７が接続されている。そして，ＣＰＵ４０１の指令に応じて駆動信号をその指令に対応する部分に出力する。
【００４２】
図５は，複写機本体Ａに設けられた操作部５００の平面図である。この操作部５００には，各種操作を行うための複数のキーが設けられている。モードクリア／予熱キー５０１は，モードクリアキーと予熱キーとを兼ねており，このキーを押すことによりモードクリアキーの機能になり，そのまま押し続けると予熱キーの機能になる。モードクリアキーは，各々のモードを標準モードに戻すためのものである。このキーの操作により，リピート枚数は１枚，濃度は自動濃度，給紙は自動給紙選択，変倍率は等倍に設定され，両面等のその他の機能はすべて解除される。予熱キーは，機械を予熱状態にするときと予熱状態を解除するときに操作するオルタネートスイッチである。予熱状態では，図１に示した定着装置１１８が低温制御されるとともに，予熱ランプ（図示せず）のみを点灯し，その他の表示は消灯することで消費電力を抑えている。したがって，複写処理の実行中は，この予熱キーは無効となる。
【００４３】
割込みキー５０２は，割込みコピーをするときに操作するキーである。エンターキー５０３は，ズーム変倍，綴じ代の数値を設定するときに操作するキーである。プリントキー（スタートキー）５０４は，複写動作を開始するときに操作するキーである。なお，プリントキー５０４は，内部にレディ／ウェイト表示をするためのＬＥＤを有し，動作（レディ）時は緑色のＬＥＤが点灯し，待機（ウェイト）時は赤色のＬＥＤが点灯する。
【００４４】
テンキー５０５は，数値を入力するためのキーであり，複写枚数，ズーム変倍値，綴じ代の数値等を入力するときに操作する。クリア／ストップキー５０６は，待機中はクリアキーの機能になり，動作中はストップキーの機能になるキーである。クリアキーは，設定した複写枚数を解除するときに押す。また，ストップキーは，複写動作を中断するときに押し，その時点での複写動作が終了したときに機械は停止する。
【００４５】
ガイダンスキー５０７は，基本操作の説明を表示させるときに操作するキーである。プログラム登録キー５０８は，任意の複写モードを登録するキーであり，ユーザが頻繁に利用する複写モードの設定内容を登録するとき等に操作する。そして，プログラム呼出キー５０９は，登録した複写モードを呼び出すときに操作するキーである。カスタマイズクリアキー５１１は，カスタマイズモード（本発明の選択的モードクリアを行うモード）を選択するときに操作するキーである。カスタマイズモードについては後述する。ＬＣＤ表示部５５０は，機能の表示をするディスプレイの機能とともに，タッチキー（選択キー）の機能を備えている。
【００４６】
図６は，ＬＣＤ表示部５５０の表示画面を示す図である。この図に示すように，ＬＣＤ表示部５５０は複数のエリアに区分されている。そのいくつかのエリアはメッセージ等を表示するディスプレイを構成し，他のいくつかのエリアは，接触操作で入力するタッチ・スクリーンで構成され，タッチ操作によりオン／オフする複数のタッチキーを構成している。
【００４７】
エリア５５１は，この装置に関する情報を表示するエリアであり，例えば『コピーできます。』，『用紙を補給して下さい。』，『予約コピーできます。』等のメッセージを表示する。エリア５５２は，複写枚数を表示するセット表示エリアである。エリア５５３は，トレイ選択キーおよび用紙サイズ，残量表示エリアであり，図の左より順に，上段トレイ，中段トレイ，下段トレイ，および大容量トレイを示している。また，各トレイの用紙の残量に応じて用紙マークが変化する。
【００４８】
エリア５５４は，自動用紙選択キーであり，このキーが選択されたときにはコンタクトガラス１０１に載置された原稿と同じサイズの用紙が収納されたトレイが自動的に選択される。エリア５５５は，濃度調節キーであり，複写濃度を手動で調節するときに操作する。エリア５５６は，自動濃度キーであり，原稿の地肌濃度に応じて複写濃度を自動的に選択する。エリア５５７は，等倍キーであり，原稿と同じ倍率で複写するときに操作する。エリア５５８は，拡大キーであり，原稿を拡大して複写するときに操作する。エリア５５９は，縮小キーであり，原稿を縮小して複写するときに操作する。エリア５６０は，ズームキーであり，６４％〜１４２％の間で任意の倍率を指定するときに押す。
【００４９】
エリア５６１は，用紙指定変倍キーであり，指定した用紙のサイズに合わせて原稿の画像を自動的に縮小拡大するときに操作する。エリア５６２は，両面モードを選択する両面キーであり，片面原稿を用紙の両面に複写するとき，両面原稿を用紙の両面に複写するとき，両面原稿を用紙の片面に複写するときに，対応するエリアを操作する。エリア５６３は，両面モードメッセージエリアであり，両面キーによって両面モードの機能が選択されたときに，コピー作成状態が絵で表示される。エリア５６４は，綴じ代モードの機能を選択する綴じ代キーであり，綴じ代が必要なとき所定の綴じ代値内であれば，表または裏を操作することにより左右どちら側にも綴じ代を設定できる。エリア５６５は，綴じ代メッセージエリアであり，綴じ代キーによって綴じ代モードの機能が選択されたとき，綴じ代状態が絵で表示される。
【００５０】
エリア５６６は，シフトキーであり，ステイプルをする場合に操作する。エリア５６７およびエリア５６８は，ステイプルの位置を１ケ所および２ケ所にするときに操作する。エリア５６９は，ステイプルメッセージエリアであり，ステイプルが選択されたときに，ステイプル状態が絵で表示される。その他，図には示していないが，ソートキーは，複写した用紙をページ順にそろえるときに操作する。この場合には，複写された用紙が各ソータビンに原稿と同じ順序で排出される。スタックキーは，複写した用紙をページごとに仕分けするときに操作する。この場合には，各ソータビンに同じ原稿の複写された用紙が排出される。大量ソートキーは，原稿の枚数が多くて１つのソータビンに仕分けられないときに，複数のソータビンを１つのブロックとして用いる場合に操作する。
【００５１】
図７は，操作部５００を制御する操作制御部のブロック構成図である。ＣＰＵ６０１は，ＲＯＭ６０２，ＲＡＭ６０３，割込コントローラ６０４，通信ポート６０５，ＬＣＤコントローラ６０６，出力ポート６０８，ＤＭＡコントローラ６０９とアドレスバスおよびデータバスを介して接続され，各部との間で指令コマンド，応答メッセージ，データ等の授受を行う。ＲＯＭ６０２は，ＣＰＵ６０１の動作プログラム，表示データ，イニシャライズにおける初期データ等を記憶している。ＲＡＭ６０３は，不揮発性のメモリであり，入力された設定内容のデータを記憶する。割込コントローラ６０４は，各種割込みに対してその優先順位に応じた割込処理を行う。通信ポート６０５は，図４に示したＣＰＵ４０１の通信ポート４０５との間で通信を行い，ＤＦ制御部とこの操作制御部との間で複写処理に関する各種情報を交換する。
【００５２】
ＬＣＤコントローラ６０６は，表示データを記憶する表示メモリ６０７に接続され，ＣＰＵ６０１の表示指令コマンドに応じて表示メモリ６０７から読み出した１画面分の表示データをＬＣＤ表示部５５０に出力する。出力ポート６０８は，ＣＰＵ６０１の点灯指令コマンド，消灯指令コマンドに応じて，操作部５００のＬＥＤを点灯または消灯する。ＤＭＡコントローラ６０９は，タッチキーおよびプッシュキーから入力されたデータを，ＣＰＵ６０１を介さずに直接にＲＡＭ６０３に転送する。
【００５３】
〔実施の形態１〕
実施の形態１の複写装置のモードクリア方法，複写装置，操作部のモードクリア方法およびファクシミリ装置は，設定されている動作モードの内容を選択的に残して動作モードの初期化を行う選択的モードクリアを指定すると，設定されている動作モードから初期化せずに残す動作モードを選択することができ，この選択された初期化せずに残す動作モード以外の動作モードを標準モードに設定するようにしたものである。
【００５４】
以下，実施の形態１におけるカスタマイズクリア（本発明の選択的モードクリア）の動作について，図８および図９に示すＣＰＵ６０１の動作フローチャート，並びに図１０および図１１に示すＬＣＤ表示部５５０の表示例を参照して説明する。
【００５５】
図８は，実施の形態１におけるカスタマイズ画面の表示動作を示すフローチャートである。図５に示す操作部５００において，カスタマイズクリアキー５１１が押下されると，その押下検出データがＤＭＡコントローラ６０９を介してＲＡＭ６０３に転送される。そして，ＣＰＵ６０１がそのデータを読み込むと，図８のフローにおいて，カスタマイズクリアキー５１１が押下されたか否かを判別し（ステップＳ１），押下された場合はカスタマイズクリア画面をオープンする（ステップＳ２）。この後，メインフロー（図示せず）に戻る。
【００５６】
この結果，ＬＣＤ表示部５５０には，カスタマイズ画面８００の初期画面が表示される。図１０は，そのカスタマイズ画面の初期画面を示す図である。この図で，エリア８０１〜エリア８０７はカスタマイズクリアを行うか否かを設定するモードキーであり，複写処理に関する複数の項目をそれぞれ入力する。ユーザは，各項目のキー，すなわち，濃度キー８０１，変倍率キー８０２，綴じ代キー８０３，置数キー８０４，トレイ給紙選択キー８０５，両面キー８０６，排出方法キー８０７を押下することにより，各項目の所望の内容を設定する。また，エリア８０８はキャンセルキーであり，このキーの押下によって設定されている設定内容をすべて解除する。エリア８０９は，現在設定されている項目の設定内容を表示する。なお，各キーはサイクリックスイッチであり，押下するごとに条件項目の設定内容がサイクリックに変化し，最後の設定内容の状態で押下した場合には，そのキーに対応する条件項目の設定が解除される。各キーの押下状態のデータは，ＤＭＡコントローラ６０９を介してＲＡＭ６０３に転送される。
【００５７】
図９は，設定動作を示すフローチャートである。ＣＰＵ６０１は，図９において，ＲＡＭ６０３に転送されたデータを検索し，モードキー８０１〜８０７が押下されたか否かを判別し（ステップＳ１１），押下された場合は押下後のセット（設定）／リセット（設定解除）を行い，キーの表示を行う（ステップＳ１２）。そして，キーのセット内容に応じてモードのセット内容をエリア８０９に表示する（ステップＳ１３）。ステップＳ１１において，モードキーが押下されない場合には，キャンセルキー８０８が押下されたか否かを判別する（ステップＳ１４）。このキーが押下された場合には，セット内容をリセットし，カスタマイズウィンドウ（カスタマイズ画面）をクローズする（ステップＳ１５）。
【００５８】
ステップＳ１４において，キャンセルキー８０８が押下されない場合は，図５のモードクリアキー５０１が押下されたか否かを判別する（ステップＳ１６）。このキーが押下された場合は，カスタマイズクリアを実行する（ステップＳ１７）。図１１は，実施の形態１におけるカスタマイズ画面における設定内容を示す図である。例えば，トレイ給紙選択，両面複写，排出方法のモードが設定された状態でモードクリアキー５０１が押下された場合は，図１１に示すように，対応するモードキーのエリアのみを表示し，設定されたモードの設定内容をエリア８０９に表示する。この場合には，トレイ給紙選択は自動給紙であり，両面複写は原稿の両面を用紙の両面に複写し，排出方法は１カ所のステイプルをした後，フィニッシャーＤの排出トレイ３０６に排出する。また，これら設定内容は，通信ポート６０５から図４の通信ポート４０５を介して搬送制御部に送信される。
【００５９】
図１２は，実施の形態１の変形例のカスタマイズ画面における設定内容を示す図である。この変形例では，カスタマイズ画面で設定されている内容にかかわらず，カスタマイズクリアをしたときには，すでにＲＡＭ６０３に記憶されている設定内容をエリア８０９に表示する。図１２において，トレイと置数の項目は，カスタマイズクリア前に設定されてＲＡＭ６０３に記憶されているので，その設定内容をエリア８０９に表示するが，両面複写については設定されていないにもかかわらず，カスタマイズクリア前にＲＡＭ６０３に記憶されているのでエリア８０９に表示される。一方，排出方法についてはカスタマイズ画面で設定されているにもかかわらず，カスタマイズクリア前にはＲＡＭ６０３に記憶されていないので，エリア８０９には表示されない。したがってユーザは，すでに記憶されている設定内容を確認することにより，設定ミスを防止することができる。
【００６０】
そして，ＣＰＵ６０１は，カスタマイズクリアキー５１１の押下がなく，直接モードクリアキー５０１が操作されたときは，現在の設定内容を標準の設定内容（標準モード）でモードクリアし，カスタマイズクリアキー５１１が押下された後，モードクリアキー５０１が操作されたときは，現在の設定内容をＲＡＭ６０３に記憶されている設定内容（すなわち，初期化せずに残す動作モード）と標準の設定内容の両方を用いてモードクリアする。具体的には，ＲＡＭ６０３に記憶されている設定内容（すなわち，初期化せずに残す動作モード）以外を標準モードに設定する。
【００６１】
また，実施の形態１では，カスタマイズクリアキー５１１を操作部５００に有しているので，カスタマイズクリアキー５１１のワンタッチ操作のみによって，選択的モードクリアの指定を行うことができ，操作性の向上を図ることができる。
【００６２】
また，実施の形態１では，ＬＣＤ表示部５５０が，接触操作で入力するタッチ・スクリーンを有し，選択的モードクリアを行うモードにおいて，入力の前には選択可能な設定内容の項目のみを表示し，項目への入力ごとに設定内容をサイクリックに表示する。したがって，選択された設定内容（選択された動作モード）をそのつど表示し，選択されない内容は表示しないので，表示の煩雑さを解消して，初期化せずに残す動作モードの選択およびその設定内容の確認を容易に行える。
【００６３】
また，実施の形態１では，ＬＣＤ表示部５５０が，選択的モードクリアで初期化せずに残す動作モードの選択を指行う際に，選択する動作モードの入力の前には，ＲＡＭ６０３に記憶されている動作モードおよびその設定内容（すなわち，前回選択された初期化せずに残す動作モードおよびその設定内容）を表示する。したがって，新たに動作モードが選択されるまでは，記憶されている動作モードおよびその設定内容を表示するので，すでに記憶されている動作モードおよびその設定内容を確認することにより，設定ミスを防止することができる。
【００６４】
なお，実施の形態１では，複写装置について説明したが，本発明は，ファクシミリ，パソコン，ワープロ等のオフィス機器や近年普及している携帯通信端末等の装置にも適用することができる。例えば，ファクシミリにおいては，中間調，解像度，濃度，メモリ送信等のように，送信モードについて設定内容があるので，本発明を適用することにより，初期化せずに残す動作モードを簡単に選択して，それ以外の不要な動作モードの設定を容易にクリアすることができ，無駄な労力を要したい，設定内容を間違えて再設定したりする虞を低減することができる。
【００６５】
〔実施の形態２〕
実施の形態２は，実施の形態１の複写装置のモードクリア方法，複写装置，操作部のモードクリア方法およびファクシミリ装置に加えて，さらに初期化せずに残す動作モードの中の少なくとも１つの動作モードが標準モードと相反するモードになるときに，警告を表示するようにしたものである。すなわち，実施の形態１においては，カスタマイズする場合に，現状の設定モードとモードクリア時の設定とにおいて，組合せ不可のモードが発生する恐れがある。そこで，実施の形態２では，さらに，このような組合せ不可の情報をユーザに提供して，組合せ不可の設定を回避するものである。
【００６６】
以下，実施の形態２におけるカスタマイズクリアの動作について，図１４および図１８に示すＣＰＵ６０１の動作フローチャート，並びに図１３および図１５〜図１７および図１９，図２０に示すＬＣＤ表示部５５０の表示例を参照して説明する。
【００６７】
図１３は，実施の形態２におけるＬＣＤ表示部５５０に表示されたカスタマイズ画面１３００の一例を示す図である。この図で，濃度キー１３０１，変倍率キー１３０２，綴じ代キー１３０３，置数キー１３０４，トレイ給紙選択キー１３０５，両面キー１３０６，排出方法キー１３０７は，モードクリア時に残す各モードを設定するモード設定キーである。また，キャンセルキー１３０８は，カスタマイズクリアをキャンセルして，このカスタマイズ画面から抜けるためのキーである。また，エリア１３０９は，カスタマイズクリア時において設定されるモードの内容を表示するエリアである。例えば，置数は８０枚に設定されている。
【００６８】
終了キー１３１０は，カスタマイズクリアして終了するためのキーである。なお，上記した実施の形態１と同様に，各キーはサイクリックスイッチであり，オン（押下）するごとに条件項目の設定内容がサイクリックに変化し，最後の設定内容の状態でオンした場合には，そのキーに対応する条件項目の設定が解除される。各キーのオン状態のデータは，ＤＭＡコントローラ６０９を介してＲＡＭ６０３に転送される。
【００６９】
図１４は，設定動作を示すフローチャートである。ＣＰＵ６０１は，ＲＡＭ６０３に転送されたデータを検索し，モードキー１３０１〜１３０７がオンされたか否かを判別し（ステップＳ２１），オンされない場合はこのフローを終了するが，オンされた場合はカスタマイズ画面をオープンする（ステップＳ２２）。図１５にこの場合におけるカスタマイズ画面を示す。図１５に示すように，濃度は『自動濃度』，変倍率は『等倍』，綴じ代は『表０，裏０』，置数は『１００』，トレイは『自動用紙選択』，両面片面の選択は『片面／片面』，排出方法は『シフトしない』に設定されている。
【００７０】
図１５のカスタマイズ画面をオープンした後，図１４において，各モードのセットまたはリセットがないか否かを判別する（ステップＳ２３）。セットまたはリセットがされたときは，そのセットまたはリセットされた組合せが可能か否かを判別する（ステップＳ２４）。例えば，変倍率キー１３０２をオンして倍率７１％を選択し，トレイキー１３０５をオンして第１トレイ（Ｂ５サイズ）を選択し，排出方法キー１３０７をオンしてステイプル２カ所を選択したときは，図１６に示す画面になる。この場合の設定内容の組合せは可能であるので，図１４において終了キー１３１０がオンされたか否かを判別する（ステップＳ２５）。終了キー１３１０がオンされたときは，エリア１３０９の設定内容がＲＡＭ６０３に記憶される。
【００７１】
ステップＳ２５において，終了キー１３１０がオンされない場合は，キャンセルキー１３０８がオンされたか否かを判別する（ステップＳ２６）。オンされない場合はこのフローを終了する。キャンセルキー１３０８がオンされたときは，ステップＳ２３に移行して，各モードのセットまたはリセットを判別する。図１５に示す状態で，さらに両面キー１３０６がオンされた場合には，ステップＳ２４において組合せが不可であると判別される。そして，不可となるモードのセットまたはリセットをせず（ステップＳ２７），セットまたはリセットできない旨をメッセージでウィンドウ画面によって表示して（ステップＳ２８），ステップＳ２３に移行する。すなわち，図１７に示すように，警告メッセージとして『両面／両面はセットできません。両面セット枚数は８０枚が限界です。』を表示する。警告メッセージのウィンドウ画面が閉じられた後は，再び図１６の画面に戻る。
【００７２】
したがって，実施の形態２によれば，カスタマイズ画面において，組合せ不可の設定を回避するとともに，ユーザにその旨を通知することにより，操作性を向上させ，ユーザに対して設定時の混乱を回避させることが可能になる。
【００７３】
図１８は，実施の形態２の変形例の設定動作を示すフローチャートである。ＣＰＵ６０１は，モードキー１３０１〜１３０７がオンされたか否かを判別し（ステップＳ３１），オンされない場合はこのフローを終了するが，オンされた場合はカスタマイズ画面をオープンする（ステップＳ３２）。カスタマイズ画面は図１５と同じである。すなわち，濃度は『自動濃度』，変倍率は『等倍』，綴じ代は『表０，裏０』，置数は『１００』，トレイは『自動用紙選択』，両面片面の選択は『片面／片面』，排出方法は『シフトしない』に設定されている。
【００７４】
このカスタマイズ画面をオープンした後，図１８において，各モードのセットまたはリセットがないか否かを判別する（ステップＳ３３）。セットまたはリセットがされたときは，そのセットまたはリセットされた組合せが可能か否かを判別する（ステップＳ３４）。組合せが可能である場合は，終了キー１３１０がオンされたか否かを判別する（ステップＳ３５）。終了キー１３１０がオンされたときは，エリア１３０９の設定内容がＲＡＭ６０３に記憶される。終了キー１３１０がオンされない場合は，キャンセルキー１３０８がオンされたか否かを判別する（ステップＳ３６）。オンされない場合はこのフローを終了する。キャンセルキー１３０８がオンされたときは，ステップＳ３３に移行して，各モードのセットまたはリセットを判別する。
【００７５】
例えば，図１６に示したように，倍率７１％，第１トレイ（Ｂ５サイズ），ステイプル２カ所が選択されているとき，さらに両面キー１３０６がオンされた場合には，ステップＳ３４において組合せが不可であると判別される。この場合には，不可となる組合せモードの内容を変更し（ステップＳ３７），セットすることにより変更されたモードの内容及び理由をメッセージ等でウィンドウ画面によって表示して（ステップＳ３８），ステップＳ３３に移行する。すなわち，図１９に示すように，警告メッセージとして，『置数を８０枚に変更しました。』という変更内容，及び『両面セット枚数は８０枚が限界です。』という理由を表示する。警告メッセージのウィンドウ画面が閉じられた後は，図２０に示すように，変更された設定内容の画面を表示する。
【００７６】
したがって，実施の形態２の変形例によれば，設定ミスを回避し，設定の手間を省き，操作効率の向上を図ることが可能になる。
【００７７】
〔実施の形態３〕
実施の形態３は，実施の形態１の複写装置のモードクリア方法，複写装置，操作部のモードクリア方法およびファクシミリ装置に加えて，モードクリアキーが押下されると，前回の選択的モードクリアによって設定された動作モードを表示するようにしたものである。すなわち，実施の形態１においては，カスタマイズする場合に，すべてを改めて設定しようとすると手間がかかってしまう。そこで，実施の形態３では，カスタマイズ時の設定の手間をできるだけ省くようにするものである。
【００７８】
以下，実施の形態３におけるカスタマイズクリアの動作について，図２１〜図２３に示すＣＰＵ６０１の動作フローチャート，並びに図２４〜図２６に示すＬＣＤ表示部５５０の表示例を参照して説明する。
【００７９】
図２１は，カスタマイズ画面をオープンする処理フローである。ＣＰＵ６０１は，ＲＡＭ６０３に転送されたデータを検索し，図５に示したカスタマイズクリアキー５１１がオンされたか否かを判別し（ステップＳ４１），オンされない場合はこのフローを終了するが，オンされた場合は前回カスタマイズクリアしているか否かを判別する（ステップＳ４２）。前回カスタマイズクリアしていない場合には，現セット情報をカスタマイズクリアモードにセットする（ステップＳ４３）。そして，カスタマイズ画面をオープンする（ステップＳ４４）。
【００８０】
図２４は，現セット情報をカスタマイズクリアモードにセットするためのカスタマイズ画面２４００である。この図で，濃度キー２４０１，変倍率キー２４０２，綴じ代キー２４０３，置数キー２４０４，トレイ給紙選択キー２４０５，両面キー２４０６，排出方法キー２４０７は，モードクリア時に残す各モードを設定するモード設定キーである。また，キャンセルキー２４０８は，カスタマイズクリアをキャンセルして，このカスタマイズ画面から抜けるためのキーである。また，エリア２４０９は，カスタマイズクリア時において設定されるモードの内容を表示するエリアである。
【００８１】
標準モード登録キー２４１０は，標準モードを登録するためのキーである。前回セット情報エリア２４１１は，前回カスタマイズクリアしている場合に反転表示されるエリアである。また，現セット情報エリア１３１２は，前回カスタマイズクリアしていない場合に反転表示されるエリアである。したがって，図２１のステップＳ４３からステップＳ４４に移行した場合には，図２４に示すように，現セット情報エリア１３１２が反転表示される。
【００８２】
図２１のステップＳ４２において，前回カスタマイズクリアしている場合には，前回のカスタマイズクリアの内容をＲＡＭ６０３から呼び出す（ステップＳ４５）。そして，呼び出したモードをセットし（ステップＳ４６），カスタマイズ画面をオープンする（ステップＳ４４）。図２５にこの場合のカスタマイズ画面を示す。したがってこの場合には，前回セット情報エリア２４１１が反転表示される。また，前回セットされたモードキーである置数キー２４０４，トレイキー２４０５，排出方法キー２４０７が反転表示されるとともに，エリア２４０９には，これらのモードキーによって設定されている設定確認の内容が表示される。
【００８３】
したがって，図２１の処理フローによれば，前回のカスタマイズされた設定を呼び出すことにより，カスタマイズクリアのモード設定の手間を省き，作業効率を向上させるとともに，設定ミスの防止を図ることが可能になる。
【００８４】
図２２は，前回のカスタマイズクリアが設定されていない場合の処理フローである。ＣＰＵ６０１は，カスタマイズ画面であるか否かを判別し（ステップＳ５１），カスタマイズ画面である場合には，標準モード登録キー２４１０がオンされたか否かを判別する（ステップＳ５２）。このキーがオンされたときは，図２６に示すように，カスタマイズ画面２４００の上に表示したウィンドウ画面２６００に，『標準モードにしてもいいですか？』というメッセージとともに，『はい』キー２６０１および『いいえ』キー２６０２を表示し，『はい』キー２６０１がオンされたか否かを判別する（ステップＳ５３）。このキーがオンされたときは，標準モードを格納している不揮発性メモリの内容をカスタマイズクリアの内容に書き替える（ステップＳ５４）。
【００８５】
ステップＳ５１においてカスタマイズ画面でない場合，ステップＳ５２において標準モード登録キー２４１０がオフである場合，または，ステップＳ５３において『いいえ』キー２６０２がオンされた場合には，いずれの場合も，不揮発性メモリの内容を書き替えることなくこのフローを終了する。
【００８６】
したがって，図２２の処理フローによれば，カスタマイズクリアの前回の設定がない場合には，設定するモードがない状態を回避して操作上の不具合を解消することができる。
【００８７】
図２３は，モードセット内容を書き替える処理フローである。ＣＰＵ６０１は，カスタマイズクリア画面であるか否かを判別し（ステップＳ６１），カスタマイズクリア画面であるときは，カスタマイズクリアのセット内容が現セット情報によるものか否かを判別する（ステップＳ６２）。現セット情報であるときは，前回セット情報キー２４１１がオンされたか否かを判別する（ステップＳ６３）。このキーがオンされない場合はこのフローを終了するが，このキーがオンされたときは，カスタマイズクリアのモードセット内容を前回のカスタマイズ情報の内容に書き替える（ステップＳ６４）。
【００８８】
一方，ステップＳ６２において，カスタマイズクリアのセット内容が現セット情報によるものでない場合には，現セット情報キー２４０２がオンされたか否かを判別する（ステップＳ６５）。このキーがオンされない場合はこのフローを終了するが，このキーがオンされたときは，カスタマイズクリアのモードセット内容を現セット情報の内容に書き替える（ステップＳ６６）。
【００８９】
したがって，図２３の処理フローによれば，前回のカスタマイズクリアのセット情報および現セット情報を効率よく切り替えて，不揮発性メモリに格納することにより，操作性の向上を図るとともに，情報を瞬時に提供することが可能となる。
【００９０】
〔実施の形態４〕
実施の形態４は，実施の形態１の複写装置のモードクリア方法，複写装置，操作部のモードクリア方法およびファクシミリ装置に加えて，カクタマイズクリア（本発明の選択的モードクリア）において，動作モードが選択されると，選択されている動作モードおよび選択されている動作モード以外の標準モード中の動作モードに基づいて，組合せ不可能な動作モード同士が存在する組合せ不可状態が発生したか否かを判定し，組合せ不可状態である場合に，組合せ不可状態である旨を報知すると共に，該当する組合せ不可能な動作モードの変更を行わせるものである。
【００９１】
また，実施の形態４では，組合せ不可状態が複数発生している場合，それぞれの組合せ不可能な動作モードの組またはグループにおいて該当する組合せ不可能な動作モードの変更を行わせると共に，組合せ不可状態が解除された場合には，組合せ不可状態の解除を報知するものである。
【００９２】
以下，実施の形態４におけるカスタマイズクリアの動作について，図２７〜図３２を参照して詳細に説明する。
【００９３】
図２７は，実施の形態４におけるカスタマイズクリアの設定を行うためのカスタマイズ画面２７００の表示例を示し，図６のＬＣＤ表示部５５０に開く画面である。図において，エリア２７０１〜エリア２７０７はモードクリア時に残す各モード（カスタマイズクリア時）を設定する設定キーであり，エリア２７０８はカスタマイズクリアをキャンセルするための（カスタマイズクリア画面から抜けるための）キャンセルキーであり，エリア２７０９は，標準モードに登録する（モードクリアの内容をカスタマイズクリアの内容に書き換える）キーであり，エリア２７１０は選択されたモードの組合せが組合せ不可状態である場合に，該当する組合せ不可能な動作モードの変更を行うための不可組合せキーであり，エリア２７１１は前回セット情報を呼び出すキーであり，エリア２７１２は現セット情報を呼び出すキーであり，エリア２７１３は不可組合せが生じているか否かをメッセージで表示するための表示エリアである。
【００９４】
図２８は，実施の形態４における不可モード再設定画面２８００の表示例を示し，図２７に示した不可組合せキー２７１０が押下されるとカスタマイズ画面２７００上に開く画面である。なお，ここでは，両面モードとセット置数が組合せ不可を起こした場合を例とする。図において，２８０１および２８０２は各々の組合せ不可モードを示すエリアであり，２８０３は置数の再入力を行う際の選択キーであり，２８０４はセット置数を表示するエリアであり，２８０５〜２８０８は両面モードの選択キーであり，２８０９は設定終了時の確定キーであり，２８１０は設定不可原因を表示するエリアであり，２８１１は設定不可状態が解除されたか否かを表示するエリアである。
【００９５】
図２９は，実施の形態４において組合せ不可モードが複数発生した場合のカスタマイズ画面２９００の表示例を示す。なお，カスタマイズ画面２９００は基本的にカスタマイズ画面２７００と同様であるため，ここでは異なる部分のみを説明する。カスタマイズ画面２９００において，２９０１は選択不可モード（組合せ不可モード）が存在する状態を表示するエリアであり，２９０２〜２９０４は複数の組合せ不可モードをその組合せ毎に選択する選択キーであり，２９０５の『次』キーおよび２９０６の『前』キーは組合せ不可モードの数が上記選択キー２９０２〜２９０４で表示しきれない場合に使用するキーであり，例えば，選択キー２９０２〜２９０４のキーネームが『不可組合せ１』〜『不可組合せ３』と表示されている場合に，『次』キー２９０５を操作することにより，選択キー２９０２〜２９０４のキーネームが切り換わって『不可組合せ４』〜『不可組合せ６』のように表示される。
【００９６】
図３０は，カスタマイズ画面２７００から不可モード再設定画面２８００をオープンする処理フローである。ＣＰＵ６０１は，カスタマイズ画面２７００において，モード選択があると（Ｓ７１で肯定，Ｓ７２で肯定），選択されている動作モードおよび選択されている動作モード以外の標準モード中の動作モードに基づいて，組合せ不可能な動作モード同士が存在する組合せ不可状態が発生したか否かを判定し（Ｓ７３），不可モードがある場合（組合せ不可状態である場合）に，エリア２７１３に“組合せ不可の設定があります”のメッセージを表示して，組合せ不可状態である旨を報知する（Ｓ７４）。
【００９７】
この状態のときに，図２７の不可組合せキー２７１０が押下されると（Ｓ７５で肯定），図２８に示すように，不可モード再設定画面２８００をオープンし（Ｓ７６），エリア２８１０に設定不可原因（組合せ不可原因）を表示し（Ｓ７７），エリア２８１１に設定不可状態のメッセージ表示を行う（Ｓ７８）。
【００９８】
これによって，ユーザは組合せ不可モードが発生したことを知ることができると共に，後述するように該当する組合せ不可能な動作モードの変更を行うことができる。
【００９９】
図３１は，不可モード再設定画面２８００における再設定の処理フローを示し，ＣＰＵ６０１は，不可モード再設定画面２８００がオープンされている状態で（Ｓ８１で肯定），選択キー２８０３〜２８０８を用いて設定モードの変更が行われると（Ｓ８２で肯定），組合せ不可状態が解除されたか否かを判定し（Ｓ８３），解除された場合には，エリア２８１１に“組合せ不可が解除されました”等の設定不可状態の解除のメッセージ表示を行う（Ｓ８４）。
【０１００】
その後，確定キー２８０９が押下されると（Ｓ８５で肯定），再設定画面を閉じて（Ｓ８６），カスタマイズ画面２７００に戻る。
【０１０１】
なお，図２８に示した不可モード再設定画面２８００では，両面モードとセット置数の組合せ不可を例に挙げて表示している。この場合，再設定画面で，組合せ不可状態が解除されると，すなわち，置数を５０以下にセットし直す（ここでは，再入力キー２８０３を選択し，テンキーで再入力する）か，両面モードを片面→片面（片面→片面キー２８０５を選択）にして不可状態を回避すると，エリア２８１１に“組合せ不可が解除されました”等のメッセージが表示される。
【０１０２】
図３２は，組合せ不可モードが複数発生した場合のカスタマイズ画面２９００をオープンする処理フローである。カスタマイズ画面２７００において（Ｓ９１で肯定），組合せ不可モードが複数ある場合（Ｓ９２で肯定），図２９で示したように，カスタマイズ画面２９００を表示して，組合せ不可の数だけ組合せ不可キー２９０２〜２９０４を表示する（Ｓ９３）。なお，一度に表示できない場合には，『次』キー２９０５等を用いてキー表示の切換等で対応する。一方，組合せ不可モードが複数でない場合には，カスタマイズ画面２７００に示すように，１個の組合せ不可キー２７１０のみを表示する（Ｓ９４）。
【０１０３】
前述したように実施の形態４によれば，カスタマイズ画面にて，組合せ不可モードのみを設定し直すことができるので，モードの再設定を最小限の設定・操作で済ませることができ，ユーザの設定時の手間を省くことが可能となる。
【０１０４】
また，組合せ不可モードが複数存在する場合には，それぞれの不可モードの組合せに対応させた複数の組合せ不可モードキーを表示するので，換言すれば，組合せ不可状態が複数発生している場合，それぞれの組合せ不可能な動作モードの組またはグループにおいて該当する組合せ不可能な動作モードの変更を行わせるので，より効率的に再設定を行えると共に，ユーザの設定時の混乱を回避することが可能である。
【０１０５】
さらに，組合せ不可モードが解除されると，組合せ不可状態の解除を報知するので，ユーザは再設定時に設定内容の可・不可の確認を直ぐに行うことができ，設定時の操作効率を向上させることができる。
【０１０６】
【発明の効果】
以上説明したように，本発明の複写装置のモードクリア方法（請求項１）は，複写処理の動作モードの初期化を指定するモードクリアキーが押下されると，動作モードを予め指定されている標準モードに設定する複写装置のモードクリア方法において，設定されている動作モードの内容を選択的に残して動作モードの初期化を行う選択的モードクリアを指定する第１の工程と，第１の工程で選択的モードクリアが指定された場合に，設定されている動作モードから初期化せずに残す動作モードを選択する第２の工程と，第２の工程で選択された初期化せずに残す動作モード以外の動作モードを標準モードに設定する第３の工程と，を含むため，モードクリアを行う際に，所望のモードを残して不要なモードのみをクリアできるようにして，設定作業の効率化および設定ミスの低減を図ることができる。
【０１０７】
また，本発明の複写装置のモードクリア方法（請求項２）は，請求項１記載の複写装置のモードクリア方法において，前記第３の工程が，前記第２の工程で選択された前記初期化せずに残す動作モードの中の少なくとも１つの動作モードが前記標準モードと相反するモードになるときは，警告を表示する工程を含むため，モードクリアを行う際に，カスタマイズ画面において，組合せ不可の設定を回避するとともに，ユーザにその旨を通知することにより，操作性を向上させ，ユーザに対して設定時の混乱を回避させることが可能になる。
【０１０９】
また，本発明の複写装置（請求項３）は，複写処理の動作モードの初期化を指定するモードクリアキーが押下されると，動作モードを予め指定されている標準モードに設定する複写装置において，設定されている動作モードの内容を選択的に残して動作モードの初期化を行う選択的モードクリアを指定するための指定手段と，指定手段を介して選択的モードクリアが指定された場合に，設定されている動作モードから初期化せずに残す動作モードを選択する選択手段と，選択手段で選択した動作モードを記憶する記憶手段と，指定手段を介して選択的モードクリアが指定された状態で，モードクリアキーが押下されると，記憶手段に記憶されている動作モード以外の動作モードを標準モードに設定する設定手段と，を備えたため，モードクリアを行う際に，所望のモードを残して不要なモードのみをクリアできるようにして，設定作業の効率化および設定ミスの低減を図ることができる。
【０１１０】
また，本発明の複写装置（請求項４）は，請求項３記載の複写装置において，選択手段が，初期化せずに残す動作モードを選択するための表示画面を有し，さらに選択された動作モードの設定内容を表示するため，選択的モードクリアを行う際に，モードの内容確認を行うことができる。したがって，効率的に動作モードの選択を行うことができ，操作性の向上を図ることができる。
【０１１１】
また，本発明の複写装置（請求項５）は，請求項４記載の複写装置において，選択手段が，指定手段を介して選択的モードクリアが指定された場合に，記憶手段に記憶されている動作モードの設定内容を表示するため，換言すれば，新たに動作モードが選択されるまでは，記憶されている動作モードおよびその設定内容を表示するので，すでに記憶されている動作モードおよびその設定内容を確認することにより，設定ミスを防止することができる。
【０１１２】
また，本発明の複写装置（請求項５）は，請求項４記載の複写装置において，選択手段が，指定手段を介して選択的モードクリアが指定された場合に，記憶手段に記憶されている動作モードの設定内容を表示するため，前回のカスタマイズされた設定を呼び出すことにより，カスタマイズクリアのモード設定の手間を省き，作業効率を向上させるとともに，設定ミスの防止を図ることが可能になる。
【０１１３】
また，本発明の複写装置（請求項６）は，請求項４記載の複写装置において，設定手段が，選択手段で選択した動作モードの中の少なくとも１つの動作モードが標準モードと相反するモードであるときは，警告を表示するため，モードクリアを行う際に，カスタマイズ画面において，組合せ不可の設定を回避するとともに，ユーザにその旨を通知することにより，操作性を向上させ，ユーザに対して設定時の混乱を回避させることが可能になる。
【０１１４】
また，本発明の複写装置（請求項７）は，請求項４記載の複写装置において，設定手段が，選択手段で選択した動作モードの中の少なくとも１つの動作モードが標準モードと相反するモードであるときは，選択手段で選択した動作モードを変更するため，モードクリアを行う際に，設定ミスを回避し，設定の手間を省き，操作効率の向上を図ることが可能になる。
【０１１７】
また，本発明の複写装置（請求項８）は，請求項３〜７記載のいずれか一つの複写装置において，選択手段を介して動作モードが選択されると，選択されている動作モードおよび選択されている動作モード以外の標準モード中の動作モードに基づいて，組合せ不可能な動作モード同士が存在する組合せ不可状態が発生したか否かを判定し，組合せ不可状態である場合に，組合せ不可状態である旨を報知すると共に，該当する組合せ不可能な動作モードの変更を行わせる報知・変更手段を備えたため，モードの再設定を最小限の設定・操作で済ませることができ，ユーザの設定時の手間を省くことが可能となる。
【０１１８】
また，本発明の複写装置（請求項９）は，請求項８記載の複写装置において，報知・変更手段が，組合せ不可状態が複数発生している場合，それぞれの組合せ不可能な動作モードの組またはグループにおいて該当する組合せ不可能な動作モードの変更を行わせるため，より効率的に再設定を行えると共に，ユーザの設定時の混乱を回避することが可能である。
【０１１９】
また，本発明の複写装置（請求項１０）は，報知・変更手段が，組合せ不可状態が解除された場合，組合せ不可状態の解除を報知するため，ユーザは再設定時に設定内容の可・不可の確認を直ぐに行うことができ，設定時の操作効率を向上させることができる。
【０１２０】
また，本発明の操作部のモードクリア方法（請求項１１）は，ファクシミリ装置における操作部の動作モードの初期化を指定するモードクリアキーが押下されると，動作モードを予め指定されている標準モードに設定するファクシミリ装置における操作部のモードクリア方法において，設定されている動作モードの内容を選択的に残して動作モードの初期化を行う選択的モードクリアを指定する第１の工程と，第１の工程で選択的モードクリアが指定された場合に，設定されている動作モードから初期化せずに残す動作モードを選択する第２の工程と，第２の工程で選択された初期化せずに残す動作モード以外の動作モードを標準モードに設定する第３の工程と，を含むため，モードクリアを行う際に，所望のモードを残して不要なモードのみをクリアできるようにして，設定作業の効率化および設定ミスの低減を図ることができる。
【０１２１】
また，本発明のファクシミリ装置（請求項１２）は，ファクシミリ装置における操作部の動作モードの初期化を指定するモードクリアキーが押下されると，動作モードを予め指定されている標準モードに設定するファクシミリ装置において，設定されている動作モードの内容を選択的に残して動作モードの初期化を行う選択的モードクリアを指定するための指定手段と，指定手段を介して選択的モードクリアが指定された場合に，設定されている動作モードから初期化せずに残す動作モードを選択する選択手段と，選択手段で選択した動作モードを記憶する記憶手段と，指定手段を介して選択的モードクリアが指定された状態で，モードクリアキーが押下されると，記憶手段に記憶されている動作モード以外の動作モードを標準モードに設定する設定手段と，を備えたため，モードクリアを行う際に，所望のモードを残して不要なモードのみをクリアできるようにして，設定作業の効率化および設定ミスの低減を図ることができる。
【図面の簡単な説明】
【図１】  本発明を適用する複写装置の構成図である。
【図２】  循環式自動原稿送り装置の構成図である。
【図３】  自動原稿送り装置の構成図である。
【図４】  循環式自動原稿送り装置および自動原稿送り装置の原稿移動制御を行うＤＦ制御部のブロック構成図である。
【図５】  図１の複写機本体に設けられた操作部の平面図である。
【図６】  図５の表示部の表示画面を示す説明図である。
【図７】  図５の操作部を制御する操作制御部のブロック構成図である。
【図８】  実施の形態１におけるカスタマイズ画面の表示動作を示すフローチャートである。
【図９】  実施の形態１における設定動作を示すフローチャートである。
【図１０】  実施の形態１におけるカスタマイズ画面の初期画面を示す説明図である。
【図１１】  実施の形態１におけるカスタマイズ画面における設定内容を示す説明図である。
【図１２】  実施の形態１の変形例のカスタマイズ画面における設定内容を示す説明図である。
【図１３】  実施の形態２におけるカスタマイズ画面の例を示す説明図である。
【図１４】  実施の形態２における設定動作を示すフローチャートである。
【図１５】  実施の形態２におけるカスタマイズ画面における設定内容を示す説明図である。
【図１６】  実施の形態２におけるカスタマイズ画面における設定内容を示す説明図である。
【図１７】  実施の形態２におけるカスタマイズ画面における設定内容を示す説明図である。
【図１８】  実施の形態２の変形例における設定動作を示すフローチャートである。
【図１９】  実施の形態２の変形例におけるカスタマイズ画面における設定内容を示す説明図である。
【図２０】  実施の形態２の変形例におけるカスタマイズ画面における設定内容を示す説明図である。
【図２１】  実施の形態３における設定動作を示すフローチャートである。
【図２２】  実施の形態３におけるモードセット内容の書き替えのフローチャートである。
【図２３】  実施の形態３におけるモードセット内容の書き替えのフローチャートである。
【図２４】  実施の形態３におけるカスタマイズ画面の例を示す説明図である。
【図２５】  実施の形態３におけるカスタマイズ画面の例を示す説明図である。
【図２６】  実施の形態３における登録選択画面を示す説明図である。
【図２７】  実施の形態４におけるカスタマイズ画面の例を示す説明図である。
【図２８】  実施の形態４における不可モード再設定画面の表示例を示す説明図である。
【図２９】  実施の形態４において組合せ不可モードが複数発生した場合のカスタマイズ画面の表示例を示す説明図である。
【図３０】  実施の形態４のカスタマイズ画面から不可モード再設定画面をオープンする処理を示すフローチャートである。
【図３１】  実施の形態４の不可モード再設定画面における再設定の処理を示すフローチャートである。
【図３２】  実施の形態４において，組合せ不可モードが複数発生した場合のカスタマイズ画面をオープンする処理を示すフローチャートである。
【符号の説明】
Ａ  複写機本体
Ｂ  循環式自動原稿送り装置（ＲＤＦ）
Ｃ  自動原稿送り装置
Ｃ  フィニッシャー
５００  操作部
６０１  ＣＰＵ
６０２  ＲＯＭ
６０３  ＲＡＭ
６０４  割込コントローラ
６０５  通信ポート
６０６  ＬＣＤコントローラ
６０７  表示メモリ
６０８  出力ポート
６０９  ＤＭＡコントローラ
８００  カスタマイズ画面
１３００  カスタマイズ画面
２４００  カスタマイズ画面
２７００  カスタマイズ画面
２８００  不可モード再設定画面
２９００  カスタマイズ画面
【図１】
0003930150.tif 000002
【図２】
0003930150.tif 000003
【図３】
0003930150.tif 000004
【図４】
0003930150.tif 000005
【図５】
0003930150.tif 000006
【図６】
0003930150.tif 000007
【図７】
0003930150.tif 000008
【図８】
0003930150.tif 000009
【図９】
0003930150.tif 000010
【図１０】
0003930150.tif 000011
【図１１】
0003930150.tif 000012
【図１２】
0003930150.tif 000013
【図１３】
0003930150.tif 000014
【図１４】
0003930150.tif 000015
【図１５】
0003930150.tif 000016
【図１６】
0003930150.tif 000017
【図１７】
0003930150.tif 000018
【図１８】
0003930150.tif 000019
【図１９】
0003930150.tif 000020
【図２０】
0003930150.tif 000021
【図２１】
0003930150.tif 000022
【図２２】
0003930150.tif 000023
【図２３】
0003930150.tif 000024
【図２４】
0003930150.tif 000025
【図２５】
0003930150.tif 000026
【図２６】
0003930150.tif 000027
【図２７】
0003930150.tif 000028
【図２８】
0003930150.tif 000029
【図２９】
0003930150.tif 000030
【図３０】
0003930150.tif 000031
【図３１】
0003930150.tif 000032
【図３２】
0003930150.tif 000033